(57)【特許請求の範囲】
【請求項１】
キッチンのワークトップとレンジフードとの間に備えられ、前記ワークトップと前記レンジフードとの間隔に応じて長さが調節されて前記ワークトップと前記レンジフードとに固定される一対のフレーム部材と、
このフレーム部材同士の間に備えられ、前記フレーム部材の調節の前後で前記ワークトップに対して同じ位置で固定されたパネル部材と、
が備えられ、
前記フレーム部材が、
前記パネル部材が備えられた長手のフレーム本体部材と、
このフレーム本体部材の上端における前記パネル部材よりも上方に備えられ、前記ワークトップと前記レンジフードとの間隔に応じて前記パネル部材よりも上方でスライドするスライド部材と、
から構成された、
ことを特徴とするオイルガード。
【請求項２】
前記パネル部材と前記ワークトップとの間が空けられた、
ことを特徴とする請求項１に記載されたオイルガード。
【請求項３】
前記フレーム部材同士の間隔が、前記レンジフードに取り付けられた整流板の幅よりも狭く形成された、
ことを特徴とする請求項１または請求項２に記載されたオイルガード。
【請求項４】
前記フレーム部材と前記キッチンのサイドパネルとの間が空けられた、
ことを特徴とする請求項１から請求項３のいずれか１項に記載されたオイルガード。
【請求項５】
請求項１から請求項４のいずれか１項に記載されたオイルガードが備えられた、
ことを特徴とするキッチン。
【発明の詳細な説明】
【技術分野】
【０００１】
本発明は、キッチンのワークトップとレンジフードとの間に取り付けられるオイルガードおよびキッチンに関するものである。
【背景技術】
【０００２】
従来、キッチンの調理機器周りは調理中に水や油が飛散し、特にアイランドキッチンや対面キッチンにおいて顕著であるため、オイルガードが取り付けられている。例えば下記特許文献１に記載された仕切りは、枠フレームで支持された仕切り板がワークトップとレンジフードとの間に取り付けられて構成されている。枠フレームは高さを調節するアジャスタがワークトップとの間に取り付けられ、ワークトップとレンジフードの位置関係が仕様や施工上の都合によりキッチン毎に異なる場合であっても、アジャスタが調節されることで仕切り板ごと高さが上下に調節される。
【先行技術文献】
【特許文献】
【０００３】
【特許文献１】特開２００８−２７５２２１号
【発明の概要】
【発明が解決しようとする課題】
【０００４】
しかし、上記した仕切りによれば、アジャスタによって仕切り板が枠フレームごと下端側から持ち上げられるため、仕切り板の高さの調節に伴って枠フレームとワークトップとの間が広げられ、その間を調理中に飛散した水や油が通り抜けるおそれがある。そのため、枠フレームとワークトップとの間にカバーが取り付けられるが、カバーによってワークトップや仕切り板との間に目地ができるため清掃時の作業性が悪い。
【０００５】
本発明は上記の実情に鑑みて提案されたものである。すなわち、キッチンに適応する柔軟性と清掃時の作業性の良さを両立させたオイルガードおよびキッチンの提供を目的とする。
【課題を解決するための手段】
【０００６】
上記目的を達成するために、本発明に係るオイルガードは、キッチンのワークトップとレンジフードとの間に備えられ、前記ワークトップと前記レンジフードとの間隔に応じて長さが調節される一対のフレーム部材と、このフレーム部材同士の間に備えられ、前記フレーム部材の調節の前後で前記ワークトップに対して同じ位置に配置されたパネル部材と、が備えられた、ことを特徴とする。
【０００７】
本発明に係るオイルガードは、前記フレーム部材が、前記パネル部材が備えられた長手のフレーム本体部材と、このフレーム本体部材の上端に備えられ、前記ワークトップと前記レンジフードとの間隔に応じてスライドするスライド部材と、から構成された、ことを特徴とする。
【０００８】
本発明に係るオイルガードは、前記パネル部材と前記ワークトップとの間が空けられた、ことを特徴とする。
【０００９】
本発明に係るオイルガードは、前記フレーム部材同士の間隔が前記レンジフードに取り付けられた整流板の幅よりも狭く形成された、ことを特徴とする。
【００１０】
本発明に係るオイルガードは、前記フレーム部材と前記キッチンのサイドパネルとの間が空けられた、ことを特徴とする。
【００１１】
本発明に係るキッチンは、オイルガードが取り付けられた、ことを特徴とする。
【発明の効果】
【００１２】
本発明に係るオイルガードは、上記した構成である。この構成により、フレーム部材の長さがレンジフードとワークトップとの間隔に応じて調節されても、ワークトップとパネル部材との間隔が広がらない。そのため、調理中に飛散した水や油がワークトップとパネル部材との間を通り抜けることがなく、また、カバーによって遮蔽することを要せずカバーによる目地ができない。したがって、キッチンに適応する柔軟性と清掃時の作業性の良さを両立させることができる。
【００１３】
本発明に係るオイルガードは、フレーム部材が、パネル部材が備えられた長手のフレーム本体部材と、このフレーム本体部材の上端に備えられ、ワークトップとレンジフードとの間隔に応じてスライドするスライド部材と、から構成されている。この構成により、フレーム部材は長さが調節される際、スライド部材がスライドすることで上端側が伸び、下端側がワークトップに対して変化しない。パネル部材はフレーム本体部材に取り付けられており、ワークトップとの間隔が広がらない。そのため、上端側でキッチンに適応する柔軟性を実現し、下端側で清掃時の作業性の良さを実現することができる。
【００１４】
本発明に係るオイルガードは、パネル部材とワークトップとの間が空けられている。この構成により、例えば雑巾などの清掃具が挿入される隙間がワークトップとパネル部材との間に形成される。したがって、清掃時の作業性の良さを実現することができる。
【００１５】
本発明に係るオイルガードは、フレーム部材同士の間隔がレンジフードに取り付けられた整流板の幅よりも狭く形成されている。この構成により、外れてレンジフードにぶら下がった整流板がフレーム部材に衝突する。そのため、清掃時や震災時に整流板が外れてぶら下がった場合であってもパネル部材に衝突しない。したがって、パネル部材の破損を防ぐことができ、またパネル部材の破損を防ぐことに配慮することなく清掃時の作業性の良さを実現することができる。
【００１６】
本発明に係るオイルガードは、フレーム部材とキッチンのサイドパネルとの間が空けられている。この構成により、例えば対面キッチンの場合、フレーム部材がサイドパネルの柄と重ならない。したがって、キッチンの意匠が損なわれない。また、清掃時の作業性の良さを実現することができる。さらに、サイドパネルの凹凸や角度にかかわらず取り付けることができる。
【００１７】
本発明に係るキッチンは、オイルガードが備えられている。したがって、清掃時の作業性の良さを実現することができる。
【図面の簡単な説明】
【００１８】
【図１】本発明の実施形態に係るオイルガードの分解斜視図である。
【図２】本発明の実施形態に係るオイルガードのフレーム部材下端の斜視外観と取り付け手順を説明し、（ａ）が対面して配置させた説明図、（ｂ）が下面から視した説明図、（ｃ）および（ｄ）が上面から視した説明図である。
【図３】本発明の実施形態に係るオイルガードのスライド部材の斜視図である。
【図４】本発明の実施形態に係るオイルガードの取り付け手順を説明するためのレンジフードの下面斜視図である。
【図５】本発明の実施形態に係るオイルガードの取り付け手順を説明するためのレンジフードの下面斜視拡大図である。
【図６】本発明の実施形態に係るオイルガードの取り付け手順を説明するための加工されたレンジフードであり、（ａ）が下面拡大図、（ｂ）が下面斜視拡大図である。
【図７】本発明の実施形態に係るオイルガードが取り付けられるレンジフードとワークトップとの位置関係を示し、（ａ）がサイドフードの場合の平面図、（ｂ）がサイドフードの場合の正面図である。
【図８】本発明の実施形態に係るオイルガードが取り付けられるレンジフードとワークトップとの位置関係を示し、（ａ）がセンターフードの場合の平面図、（ｂ）がセンターフードの場合の正面図である。
【図９】本発明の実施形態に係るオイルガードが取り付けられるワークトップを平面から視し、（ａ）がサイドフードの場合のワークトップへの取り付け位置平面図、（ｂ）がセンターフードの場合のワークトップへの取り付け位置平面図である。
【図１０】本発明の実施形態に係るオイルガードの取り付け手順を説明するレンジフードへの取り付け説明図である。
【図１１】本発明の実施形態に係るオイルガードの取り付け手順を説明するスライド部材の取り付け説明図である。
【図１２】本発明の実施形態に係るオイルガードの取り付け手順を説明するフレーム部材下端の取り付け説明図である。
【図１３】本発明の実施形態に係るオイルガードの取り付け手順を説明するスライド部材の状態説明図である。
【図１４】本発明の実施形態に係るオイルガードの取り付け手順を説明するパネル部材の取り付け説明図である。
【図１５】本発明の実施形態に係るオイルガードの取り付け手順を説明するレンジフードへの取り付け説明図である。
【図１６】本発明の実施形態に係るオイルガードの取り付け手順を説明するスライド部材の取り付け説明図である。
【図１７】本発明の実施形態に係るオイルガードの取り付け手順を説明するフレーム部材下端の取り付け説明図である。
【図１８】本発明の実施形態に係るオイルガードの取り付け手順を説明するフレーム部材のパネル部材への取り付け説明図である。
【発明を実施するための形態】
【００１９】
以下に、本発明の実施形態を図面に基づいて説明する。
【００２０】
図１において、本実施形態に係るオイルガード１０は、一対のフレーム部材２０、このフレーム部材２０同士の間に取り付けられるパネル部材４０、から構成されている。フレーム部材２０は、フレーム本体部材としての支柱２１、この支柱２１の下端に取り付けられる下ブラケット２４、支柱２１の上端に取り付けられるスライド部材としての上ブラケット２９、から構成されている。フレーム部材２０は、対面キッチンやアイランドキッチンのワークトップ２とレンジフード５との間に配置され（図７および図８参照）、ワークトップ２とレンジフード５との間隔に応じて長さが調節される。
【００２１】
支柱２１は長手であり断面が略四角形に形成されている。支柱２１の側面は、長手方向に連続する溝部２２が形成され、溝部２２にパッキン２３が取り付けられている。
【００２２】
図２において、下ブラケット２４は略六面体であり、上面から下面まで下ネジ孔２５が貫通している。上面は、支柱２１の内側に収まる大きさに形成された略コ字形の接続突起部２６が形成され、パネル部材４０が配置される凹部２７が端に形成されている。下面は下ネジ孔２５と隣接して下ボス部２８が形成されている。
【００２３】
図３において、上ブラケット２９は略六面体であり、支柱２１の内側に収まる大きさに形成されている。上面は接続金具３２が取り付けられる際に用いられる上ネジ孔３０が形成され、この上ネジ孔３０と隣接して上ボス部３１が形成されている。接続金具３２は、板状のブラケット接続片部３３と板状のレンジフード接続片部３４とから構成され、両片部３３，３４がＬ字状に連ねられて形成されている。両片部３３，３４はそれぞれ金具ネジ孔３５が形成され、またブラケット接続片部３３は切欠きであるＵカット部３６が形成されている（図６参照）。
【００２４】
図１において、パネル部材４０は四角形の板状であり、例えばガラスなどで形成されている。高さは支柱２１の長さと略同じである。厚みは支柱２１の溝部２２に収まる厚さである。
【００２５】
次に、本実施形態に係るオイルガード１０の取り付け手順を説明する。
【００２６】
接続金具３２を用いてレンジフード５に上加工孔６を開ける手順を、図４、図５、図６に基づいて説明する。レンジフード５後端内側の固定ネジ８を外し、接続金具３２のレンジフード接続片部３４をレンジフード５後端内側に合わせると共に金具ネジ孔３５をレンジフード５のネジ孔９に揃え、固定ネジ８で接続金具３２をレンジフード５に固定する。この状態でＵカット部３６に沿って上加工孔６を開ける。接続金具３２を外して固定ネジ８を戻してレンジフード５後端内側を元の状態に戻す。
【００２７】
ワークトップ２に対するレンジフード５の位置の確認を図７および図８に基づいて説明する。正面から視したワークトップ２とレンジフード５下端との間隔Ａ、平面から視したワークトップ２前下がりとレンジフード５前面との間隔Ｂが、それぞれ所定の寸法であることが好ましい。センターフードであれば正面から視したレンジフード５に対する調理機器１の位置関係Ｃが、所定の配置（例えばレンジフード５と調理機器１とが中心そろえ）であることが好ましい。間隔Ｂおよび位置関係Ｃの確認は振り下げなどを用いて行う。
【００２８】
ワークトップ２に開ける下加工孔３の位置の確認を図９に基づいて説明する。ワークトップ２前下がりからの奥行Ｄ、サイドフードであればサイドパネルからの距離Ｅ、センターフードであれば位置関係Ｃ（例えばレンジフード５と調理機器１とが中心そろえ）に基づいた間隔Ｆ、をそれぞれ測定して下加工孔３を開ける。下加工孔３に隣接させて下ボス孔４を開ける。なお、下加工孔３間は、レンジフード５に取り付けられた整流板（図示省略）の幅よりも狭い。また、対面キッチンの場合、下加工孔３は、取り付けられたフレーム部材２０とキッチンのサイドパネルとの間が空けられる位置に形成されている。
【００２９】
下ブラケット２４をワークトップ２に固定する手順を図２に基づいて説明する。下加工孔３に変性シリコーン系接着剤を塗布する。下ブラケット２４の下面にＯリング１１を取り付け、下ネジ孔２５をワークトップ２の下加工孔３に合わせると共に下ボス部２８を下ボス孔４に挿入する。その際、凹部２７を対面させた向きで下ブラケット２４を配置する。下ネジ孔２５にネジ７を挿入して下ブラケット２４をワークトップ２に固定する。凹部２７にシート１２を貼り付ける。
【００３０】
上ブラケット２９に接続金具３２を取り付ける手順を図３に基づいて説明する。上ブラケット２９の上面に接続金具３２のブラケット接続片部３３を乗せて上ネジ孔３０に金具ネジ孔３５を合わせ、ネジ７で接続金具３２を上ブラケット２９に固定する。上ボス部３１はＵカット部３６に合わせられている。
【００３１】
一方の支柱２１の取り付け手順を図１０から図１３に基づいて説明する。レンジフード５後端内側の固定ネジ８を外す。支柱２１の上端に上ブラケット２９を挿入して取り付け、支柱２１の下端から下ブラケット２４の接続突起部２６を挿入して支柱２１を下ブラケット２４に取り付ける。支柱２１と下ブラケット２４とをネジ７で固定する。ワークトップ２とレンジフード５との間隔に応じて上ブラケット２９を上方にスライドさせ、上ボス部３１を上加工孔６に挿入する。接続金具３２のレンジフード接続片部３４をレンジフード５後端内側に合わせると共に、金具ネジ孔３５をネジ孔９に揃えて接続金具３２をレンジフード５に固定ネジ８で固定する。上ブラケット２９をネジ７で支柱２１に固定する。なお、調理機器１がサイドパネル際に配置されている場合（図７参照）はサイドパネルに近い一方の支柱２１を先に取り付ける。他方の支柱２１の取り付け手順は後で記する。
【００３２】
サイドパネル際に取り付けられたフレーム部材２０とサイドパネルとの間に形成された隙間は、調理中に飛散した水や油が超えない程度であり、かつ、例えば雑巾などの清掃具（図示省略）を挿入させることができる程度である。
【００３３】
図１４において、パネル部材４０の片側を支柱２１の溝部２２にパッキン２３を介在させてはめ込む。パネル部材４０とワークトップ２との間は、下ブラケット２４の高さに相当する隙間４１が形成される。隙間４１は、調理中に飛散した水や油が超えない程度であり、かつ、例えば雑巾などの清掃具を挿入させることができる程度である。
【００３４】
他方の支柱２１の取り付け手順を図１５から図１８に基づいて説明する。レンジフード５後端内側の固定ネジ８を外す。支柱２１の上端に上ブラケット２９を挿入して取り付け、支柱２１の下端から下ブラケット２４の接続突起部２６を挿入して支柱２１を下ブラケット２４に取り付ける。同時に、パネル部材４０の片側を支柱２１の溝部２２にパッキン２３を介在させてはめ込んで支柱２１を取り付ける。支柱２１と下ブラケット２４とをネジ７で固定する。ワークトップ２とレンジフード５との間隔に応じて上ブラケット２９をスライドさせ、上ボス部３１を上加工孔６に挿入する。接続金具３２のレンジフード接続片部３４をレンジフード５後端内側に合わせると共に、金具ネジ孔３５をネジ孔９に揃えて接続金具３２をレンジフード５に固定ネジ８で固定する。上ブラケット２９をネジ７で支柱２１に固定する（図１２および図１３参照）。
【００３５】
上記のとおり取り付けられたパネル部材４０は両端がフレーム部材２０によって支持され、上端とレンジフード５との間に上ブラケット２９の高さに相当する隙間が形成され、下端とワークトップ２との間に下ブラケット２４の高さに相当する隙間４１が形成される。
【００３６】
次に、本実施形態の効果を説明する。
【００３７】
上記したとおり、本実施形態によれば、上ブラケット２９は略六面体であり、支柱２１の内側に収まる大きさに形成されている。上ブラケット２９の上面は、板状のブラケット接続片部３３と板状のレンジフード接続片部３４とがＬ字状に連ねられて形成された接続金具３２が取り付けられている。この上ブラケット２９を支柱２１の上端に挿入して取り付け、ワークトップ２とレンジフード５との間隔に応じて上ブラケット２９を上方にスライドさせる。接続金具３２のレンジフード接続片部３４をレンジフード５後端内側に合わせると共に、金具ネジ孔３５をネジ孔９に揃えて接続金具３２をレンジフード５に固定ネジ８で固定する。上ブラケット２９をネジ７で支柱２１に固定する。
【００３８】
この構成により、フレーム部材２０は長さが調節される際、上ブラケット２９がスライドすることで上端側が伸び、支柱２１がワークトップ２に対して変化しない。パネル部材４０は支柱２１に取り付けられており、ワークトップ２との間隔が広がらない。そのため、調理中に飛散した水や油がワークトップ２とパネル部材４０との隙間４１を通り抜けることがなく、また、カバーによって遮蔽することを要せずカバーによる目地ができない。したがって、上ブラケット２９でキッチンに適応する柔軟性を実現し、支柱２１で清掃時の作業性の良さを実現することができる。さらに、ワークトップ２とレンジフード５の位置関係が仕様や施工上の都合によりキッチン毎に異なる場合であっても、レンジフード５の取り付け高さやサイドパネルの垂直度などの施工時のバラツキを吸収することができる。
【００３９】
本実施形態によれば、パネル部材４０とワークトップ２との間の隙間４１は、例えば雑巾などの清掃具を挿入させることができる程度である。したがって、清掃時の作業性の良さを実現することができる。
【００４０】
本実施形態によれば、下加工孔３間は、レンジフード５に取り付けられた整流板の幅よりも狭いため、フレーム部材２０同士の間隔が整流板の幅よりも狭く形成されている。この構成により、外れてレンジフード５にぶら下がった整流板が支柱２１に衝突する。そのため、清掃時や震災時に整流板が外れてぶら下がった場合であってもパネル部材４０に衝突しない。したがって、パネル部材４０の破損を防ぐことができ、またパネル部材４０の破損を防ぐことに配慮することなく清掃時の作業性の良さを実現することができる。
【００４１】
本実施形態によれば、パネル部材４０は両端がフレーム部材２０によって支持され、上端とレンジフード５との間が上ブラケット２９の高さに相当する隙間が形成され、下端とワークトップ２との間が下ブラケット２４の高さに相当する隙間４１が形成される。したがって、上下からの荷重が作用しないため、上下からの荷重によるパネル部材４０の破損を防ぐことができる。また、上下端が解放されてすっきりしたデザインを実現することができる。
【００４２】
本実施形態によれば、例えば対面キッチンの場合、フレーム部材２０とサイドパネルとの間に隙間が形成され、この隙間は調理中に飛散した水や油が超えない程度であり、かつ、例えば雑巾などの清掃具を挿入させることができる程度である。この構成により、フレーム部材２０がサイドパネルの柄と重ならないため、キッチンの意匠が損なわれない。また、清掃時の作業性の良さを実現することができる。さらに、サイドパネルの凹凸や角度にかかわらずオイルガード１０を取り付けることができる。
【００４３】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４４】
１                  調理機器
２                  ワークトップ
３                  下加工孔
４                  下ボス孔
５                  レンジフード
６                  上加工孔
７                  ネジ
８                  固定ネジ
９                  ネジ孔
１０                オイルガード
１１                Ｏリング
１２                シート
２０                フレーム部材
２１                支柱（フレーム部材本体）
２２                溝部
２３                パッキン
２４                下ブラケット
２５                下ネジ孔
２６                接続突起部
２７                凹部
２８                下ボス部
２９                上ブラケット（スライド部材）
３０                上ネジ孔
３１                上ボス部
３２                接続金具
３３                ブラケット接続片部
３４                レンジフード接続片部
３５                金具ネジ孔
３６                Ｕカット部
４０                パネル部材
４１                隙間
Ａ                  ワークトップとレンジフード下端との間隔
Ｂ                  ワークトップ前下がりとレンジフード前面との間隔
Ｃ                  レンジフードに対する調理機器の位置関係
Ｄ                  ワークトップ前下がりからの奥行
Ｅ                  サイドパネルからの距離
Ｆ                  位置関係Ｃに基づいた間隔
【図１】
0006021013.tif 000002
【図２】
0006021013.tif 000003
【図３】
0006021013.tif 000004
【図４】
0006021013.tif 000005
【図５】
0006021013.tif 000006
【図６】
0006021013.tif 000007
【図７】
0006021013.tif 000008
【図８】
0006021013.tif 000009
【図９】
0006021013.tif 000010
【図１０】
0006021013.tif 000011
【図１１】
0006021013.tif 000012
【図１２】
0006021013.tif 000013
【図１３】
0006021013.tif 000014
【図１４】
0006021013.tif 000015
【図１５】
0006021013.tif 000016
【図１６】
0006021013.tif 000017
【図１７】
0006021013.tif 000018
【図１８】
0006021013.tif 000019